(57)【特許請求の範囲】
【請求項１】
法面の下部と隣接した平地に畦畔ブロック（Ａ）を敷き並べて接続し、該畦畔ブロック（Ａ）の下部を地中に埋設すると共に、該畦畔ブロック（Ａ）の法面側に通水層（３）を形成し、また通水層（３）の下方に有孔管（４）を埋設して法面の地表層を流下した排水を通水層（３）に導いてから有孔管（４）で排出することを特徴とする法面の排水装置。
【請求項２】
畦畔ブロック（Ａ）は廃棄プラスチックの射出成形による脚体（１）と踏板（２）とで構成されていることを特徴とする請求項１記載の法面の排水装置。
【請求項３】
通水層（３）は不織布、グラスウール等の通水性シートからなることを特徴とする請求項１又は２記載の法面の排水装置。
【発明の詳細な説明】
【０００１】
【発明の属する技術分野】
本発明は、法面の地表層を流下した排水を畦畔ブロックで塞き止めて排出する法面の排水装置に関する。
【０００２】
【従来の技術】
棚田等では、上段の水田の用水が法面の地表層を流下して下段の水田に湧出するため、図６に示した法面の下部に隣接した平地のゾーンＳの付近には常に水が溜まり、ぬかるんだ状態となっている。このため、法面の付近では稲の成育も悪くなり、所期の収穫量が得られないということがあった。また、法面には雑草が生い繁るため、農作業者が年に数回程度の割合で除草作業を行っているが、法面の下部がぬかるんでいると滑りやすく、除草作業の障害となっていた。
【０００３】
そこで、この様な場合には従来から図７に示した如く、法面の下部に隣接した平地に法面と平行に排水溝を構築し、法面の地表層を流下して湧出した排水を排水溝に集めて排出することが行なわれている。
【０００４】
【発明が解決しようとする課題】
ところが、地面の掘削と土盛りによって構築した排水溝は崩れ易いため、崩壊した排水溝を造り直したり、補修をしなければならないという煩わしさがあった。特に、土盛りした土手に農作業者が乗って法面に生えた雑草を取り除く際には、土手が崩れて排水溝が埋め戻されるため、排水溝の修復作業を余儀なくされていた。更には、排水溝と土盛りした土手が広幅となると、下段の水田の作付面積が狭くなるため、稲の収穫量が低下するということがあった。
【０００５】
本発明は、かかる課題を解決したものであって、法面の地表層を流下する排水を畦畔ブロックで堰止めて簡単に排出できる法面の排水装置を提供するものである。
【０００６】
【課題を解決するための手段】
本発明は、法面の下部と隣接した平地に畦畔ブロックを敷き並べて接続し、該畦畔ブロックの下部を地中に埋設すると共に、該畦畔ブロックの法面側に通水層を形成し、また通水層の下方に有孔管を埋設して法面の地表層を流下した排水を通水層に導いてから有孔管で排出することを特徴とする。前記畦畔ブロックとしては、廃棄プラスチックの射出成形による脚体と踏板とで構成したものが好適に使用できる。また、この畦畔ブロックの法面側に不織布、グラスウール等の通水性シートを張着しておくと、畦畔ブロックで塞き止められた排水を通水性シートを介して有孔管までスムースに導くことができる。
【０００７】
【発明の実施の形態】
以下、本発明の実施の形態を図面に基づいて詳細に説明する。図１は本発明の一実施例を示す畦畔ブロックを法面と隣接した平地に設置した状態の断面斜視図、図２は本発明の他の実施例を示す脚体の斜視図、図３は更に他の実施例を示す脚体の斜視図、図４は脚体の水平板上に有孔管を敷設した状態を示す斜視図、図５は通水性シートを脚体に取り付ける手段の他の実施例を示す断面図である。図中の符号１は脚体、２は踏板、３は通水層を構成する通水性シート、４はプラスチック管の管壁に多数の貫通孔を穿設した有孔管である。
【０００８】
本発明で使用する畦畔ブロックＡは長手方向に所定の長さを有する脚体１と踏板２とで構成され、これらのブロックは塩ビ樹脂、ポリエチレンなどのプラスチック、あるいはこれらの廃棄プラスチックを射出成形して製造される。脚体１は水平板１１と垂直板１２によって断面Ｌ字状に形成されており、垂直板１１の上部には踏板２が装着されるようになっている。
【０００９】
一方、踏板２は平板２１の両側に下方に垂下する側板２２，２２を設けると共に、平板２１の下面中央に側板２２と平行に垂下片２３を設けた構成からなっており、該踏板２は側板２２と垂下片２３との間に脚体１の垂直板１２が嵌り込むことによって支持される。
【００１０】
次に、この畦畔ブロックＡを法面の下部と隣接した平地に設置する施工手順を説明する。まず、法面の下部と隣接した平地に法面と平行に溝Ｇを掘削し、該溝Ｇの底面を平坦に地ならしする。そこで、溝Ｇに沿って脚体１を敷き並べつつ順次接続し、この接続した脚体１、１…のライン上に踏板２を順次載置して接続する。
【００１１】
また、脚体１の法面側に不織布、グラスウール等の通水性に優れたシート３を張着し、水平板１２に添わせた通水性シート３の端部付近に有孔管４を敷設してから土砂等の埋め戻しを行う。このとき、地面ＧＬから脚体１の水平板１１までの埋め戻し深さＬ1 は地盤が粘土質であるか、岩盤であるかによって異なるものの、一般にはこの深さＬ1 を５０〜１００ｃｍの範囲で適宜設定することができ、水平板１２の幅Ｌ2 を４０〜６０ｃｍに設定するとよい。この様にすると、畦畔ブロッＡで堰止められた排水は通水性シート３を伝って有孔管４までスムースに導かれて排出される。
【００１２】
また、地面ＧＬから踏板２の上面までの高さＬ3 は３０ｃｍ程度に設定しておけばよく、この程度の高さがあれば水田の水嵩さが増したときでも畦畔ブロックＡを乗り越えて法面側に用水が流れ込むことはない。また、この畦畔ブロックＡは農作業者の歩道となるだけでなく、法面に生えた雑草の除草作業を行う際に踏台ともなるので、農作業者が畦畔ブロックＡの上の乗って安定した状態で除草作業が行なえる。
【００１３】
尚、前述した実施例では、脚体１の法面側に通水性シート３を張設したものを例示したが、図２及び図３に示した如く、水平板１１や垂直板１２に複数本の縦溝ａや、多数の突起ｂを設けた脚体１を併用すると、水平板１１及び垂直板１２と通水性シート３との間に水の通路が確保されるため、排水を有孔管４までより一層スムースに導くことができる。このとき、図４に示した如く、水平板１１の末端上部に有孔管４を敷設しておけば、水平板１１の上面を流れる排水が効率よく有孔管４で捕捉されるため、排水効率が更に向上する。
【００１４】
また、図１には脚体１と踏板２との間に通水性シート３を挟持したものを例示したが、通水性シート３は如何なる手段を用いて脚体１や踏板２に固定してもよい。この一例として、例えば図５に示した如く、脚体１の垂直板１２に長手方向の溝１２０を設け、該溝１２０に支持ピン１３等を嵌め込んで通水性シート３を固定することも可能である。
【００１５】
更には、本発明はこの通水性シート３の使用に限定されるものではなく、通水性シート３に代えて脚体１の法面側に、通水性に優れたスポンジ材や、プラスチックシートに多数の凹凸や波型凸条を設けて積層したパネルを埋設して通水層を形成してもよい。
【００１６】
【発明の効果】
以上詳述した如く、本発明は法面の下部と隣接した平地に畦畔ブロックを敷き並べて接続し、該畦畔ブロックの下部を地中に埋設すると共に、該畦畔ブロックの法面側に通水層を形成し、また通水層の下方に有孔管を埋設したので、法面の地表層を流下した排水を通水層を介して有孔管までスムースに導いて排出することができる。従って、本発明によれば、法面の下部に隣接した平地がぬかるむのを未然に防止することができる。
【００１７】
また、設置した畦畔ブロックが農作業者の歩道となるだけでなく、法面に生えた雑草の除草作業を行う際の踏台ともなるので、農作業者がこの畦畔ブロックの上に乗って安定した状態で除草作業が行なえるという利点がある。
【００１８】
更には、畦畔ブロックを脚体と踏板とで構成して廃棄プラスチックで成形すれば、軽量となるため、現場での運搬・施工作業が円滑かつ容易に行なえる。
【図面の簡単な説明】
【図１】図１は本発明の一実施例を示す畦畔ブロックを法面と隣接した平地に設置した状態の断面斜視図である。
【図２】図２は本発明で使用する脚体の他の実施例を示す斜視図である。
【図３】図３は更に本発明で使用する脚体の他の実施例を示す斜視図である。
【図４】図４は脚体の水平板上に有孔管を敷設した状態の斜視図である。
【図５】図５は通水性シートを脚体に取り付ける手段の他の実施例を示す断面図である。
【図６】図６は法面の状態を示す断面図である。
【図７】図７は従来の法面の排水構造を示す断面図である。
【符号の説明】
Ａ    畦畔ブロック
１    脚体
２    踏板
３    通水層（通水性シート）
４    有孔管
【図１】
0003708220.tif 000002
【図２】
0003708220.tif 000003
【図３】
0003708220.tif 000004
【図４】
0003708220.tif 000005
【図５】
0003708220.tif 000006
【図６】
0003708220.tif 000007
【図７】
0003708220.tif 000008